(57)【要約】      （修正有） 【課題】紙袋を一度開封した後に、開封した底側を頭側になるよう袋本体を上下逆にするなどして、その紙袋を再度、内容物を再度充填して保管する袋として再利用することができる紙袋を提供する。【解決手段】頭側開口に臨んで袋本体２に設けられ、紙筒体３から突出する頭側フラップ部１０であって、頭側開口を覆うとともに袋本体２の表面に接着して頭側開口を封緘する頭側フラップ部１０を有している。底側開口３ｂに臨んで袋本体２に設けられ、紙筒体３から突出する底側フラップ部１１であって、底側開口３ｂを覆う底側フラップ部１１を有しており、底側開口３ｂを覆う底側フラップ部１１は、開封テープ２１が、その長手方向（袋本体２の胴幅方向）に沿って設けられた補強紙２０が貼着されることによって封緘されている。【選択図】図２
0003195624.tif 000002
【実用新案登録請求の範囲】
【請求項１】
両端開口の紙筒体の一方の頭側開口が開放されるとともに他方の底側開口が封緘された袋本体を具え、該袋本体の前記頭側開口は当該頭側開口を介し充填物が収納された際に封緘される紙袋であって、
前記頭側開口に臨んで袋本体に設けられ、紙筒体から突出する頭側フラップ部であって、前記頭側開口を覆うとともに袋本体に接着して前記頭側開口を封緘する頭側フラップ部を有し、
前記底側開口に臨んで袋本体に設けられ、紙筒体から突出する底側フラップ部であって、前記底側開口を覆う底側フラップ部を有し、
前記底側開口を覆う前記底側フラップ部は、開封テープまたは開封紐が、その長手方向に沿って設けられた補強紙が貼着されることによって封緘されてなることを特徴とする紙袋。
【請求項２】
前記頭側フラップ部および前記袋本体それぞれの接着箇所に感圧形接着剤が塗布されることを特徴とする請求項１記載の紙袋。
【請求項３】
前記底側フラップ部が折り曲げられて前記底側開口を覆った際に、当該折り曲げられた前記底側フラップ部の端部に近接した前記袋本体に、前記開封テープまたは前記開封紐が位置するように、補強紙が貼着されることを特徴とする請求項１または２に記載の紙袋。
【考案の詳細な説明】
【技術分野】
【０００１】
本考案は、開封機能を有する紙袋に関する。
【背景技術】
【０００２】
従来、粉粒体等の商品が充填されたポリ袋等の小袋を複数個まとめて包装する外装に紙袋が使用されている。このような紙袋は集積包装用紙袋と呼ばれている。このような集積包装用紙袋の中には、開封機能を有するものがある。この種の開封機能を有する集積包装用紙袋では、複数個の小袋を取り出し易くするために、袋本体の長さ方向（長手方向、縦方向）に配置された開封紐を引いて、紙袋を展開させるものが主流となっている。たとえば、特許文献１では、図７（ａ）に示すように、袋本体２の表面の２ａの中央に、長さ方向に沿って設けられた引き紐１３を引くことによって、袋本体２を破いてスリット１４を形成し、このスリット１４を左右に広げ表面２ａを展開して小分け袋６２を取り出すようにしている。また図７（ｂ）に示すように、袋本体２の表面２ａの左右それぞれに、長さ方向に沿って引き紐を設けて、これら引き紐を引くことによって、袋本体２を破いた後、袋本体２の表面２ａを展開して充填物６１を取り出すようにするものも公知となっている。
【０００３】
特許文献２は、図８に示すように、袋本体２の底側開口を覆うフラップ部１１（端部を１１ａにて示す）を、さらに覆う補強紙２０に引き紐２１（一点鎖線にて示す）を設けるとともに、袋本体２の側方の左右両ヒダ部２Ｌ、２Ｒそれぞれに引き紐１３Ｌ、１３Ｒ（一点鎖線にて示す）を設けた紙袋１を開示している。補強紙２０に設けられた開封紐２１は、フラップ部１１を覆う位置に配置されている。特許文献２によれば、まず補強紙２０の引き紐２１を引いて、袋本体２の底側を元の開口状態にしてから、さらに左右両ヒダ部２Ｌ、２Ｒの引き紐１３Ｌ、１３Ｒを引くことで、袋本体２の内部の充填物を３次元的に展開させるようにしている。
【先行技術文献】
【特許文献】
【０００４】
【特許文献１】実用新案登録３１８２５６５号公報
【特許文献２】特許２６９４６２８号公報
【考案の概要】
【考案が解決しようとする課題】
【０００５】
しかし、従来の開封機能付き紙袋は、いずれも袋本体２に対して長さ方向（長手方向、縦方向）に沿って引き紐を引いて開封する仕様であるため、以下の問題がある。すなわち、
１）袋本体２の長さ方向に引き紐を引いた後に、必ず、袋本体２の表面２ａを展開する作業を伴うため、袋本体２の内部の内袋等の充填物の取り出しが簡単ではない。
２）袋本体２の表面２ａという広大な部位を展開しているため、袋本体２の内部の充填物の小分け（開封した部分を途中で折り込んで留める等）ができない。
３）袋本体２の表面２ａを展開して開封しているために、一度開封すると、もはやその紙袋を空き袋として再利用することができない。
そこで、本考案は、上記１）〜３）の問題点を解決することを課題とするものである。
【課題を解決するための手段】
【０００６】
本願請求項１の考案は、両端開口の紙筒体の一方の頭側開口が開放されるとともに他方の底側開口が封緘された袋本体を具え、該袋本体の前記頭側開口は当該頭側開口を介し充填物が収納された際に封緘される紙袋であって、
前記頭側開口に臨んで袋本体に設けられ、紙筒体から突出する頭側フラップ部であって、前記頭側開口を覆うとともに袋本体に接着して前記頭側開口を封緘する頭側フラップ部を有し、
前記底側開口に臨んで袋本体に設けられ、紙筒体から突出する底側フラップ部であって、前記底側開口を覆う底側フラップ部を有し、
前記底側開口を覆う前記底側フラップ部は、開封テープまたは開封紐が、その長手方向に沿って設けられた補強紙が貼着されることによって封緘されてなる紙袋であることを特徴とする。
【０００７】
本願請求項２の考案は、本願請求項１の考案において、
前記頭側フラップ部および前記袋本体それぞれの接着箇所に感圧形接着剤が塗布されることを特徴とする。
【０００８】
本願請求項３の考案は、本願請求項１または本願請求項２の考案において、
前記底側フラップ部が折り曲げられて前記底側開口を覆った際に、当該折り曲げられた前記底側フラップ部の端部に近接した前記袋本体に、前記開封テープまたは前記開封紐が位置するように、補強紙が貼着されることを特徴とする。
【考案の効果】
【０００９】
本願請求項１および２の各考案の紙袋では、従来の紙袋に対して以下の効果を奏効する。
１´）袋本体の底側開口を覆う底側フラップ部を封緘する補強紙の長手方向に沿って設けられた開封テープまたは開封紐を引くだけで、袋本体の内部の内袋等の充填物を取り出すことができ、従来のように、袋本体の表面を展開する作業を伴うことはなくなり、袋本体の内部の内袋等の充填物の取り出しを簡単に行うことができる。
２´）開封テープまたは開封紐を引いて袋本体の底側開口のみを開封しているため、袋本体の内部の充填物の小分け（開封口を丸めて途中で止めて再保管）ができる。
３´）開封テープまたは開封紐を引いて袋本体の底側開口のみを開封しているために、一度開封した後に、開封した底側を頭側になるよう袋本体を上下逆にするなどして、その紙袋を、空き袋として再利用することができる。
さらに、本願請求項２の考案によれば、つぎのような効果を奏効する。
４´）感圧形接着剤を塗布しているために、封緘機を必要とせず手封緘で紙袋を容易に封緘
することができる。  
また、さらに、本願請求項３の考案によれば、つぎのような効果を奏効する。
５´）開封テープまたは開封紐を引いた後に、底側フラップ部側、袋本体側のいずれにも、補強紙の破れた後がめくれ上がらず、綺麗な状態で、袋本体内部の充填物を取り出すことができるとともに、袋として再利用する際に綺麗な状態で再利用することができる。
【図面の簡単な説明】
【００１０】
【図１】図１は、実施例の袋本体の表面を示した図である。
【図２】図２は、実施例の袋本体の裏面を示した図である。
【図３】図３（ａ）、（ｂ）、（ｃ）は、底側開口側の構造を説明する図であり、底側開口側を封緘するまでの工程を示した図である。
【図４】図４（ａ）、（ｂ）は、底側開口側の構造を説明する図であり、底側開口側を封緘するまでの工程を示した図である。
【図５】図５（ａ）、（ｂ）は、頭側開口側の構造を説明する図であり、頭側開口側を封緘するまでの工程を示した図である。
【図６】図６（ａ）、（ｂ）は、開封テープを引いて、補強紙を断裂して、封緘された底側開口を開放状態にして紙袋を開封する様子を示す斜視図である。
【図７】図７（ａ）、（ｂ）は、従来の紙袋を説明するために用いた図である。
【図８】図８は、従来の紙袋を説明するために用いた図である。
【考案を実施するための形態】
【００１１】
本願考案の紙袋について、以下、実施例の紙袋に基づいて詳細に説明する。
図１は、袋本体２の表面２ａを示している。図１において（後述する図２においても）、紙面の縦方向を、袋本体２の長さ方向（長手方向、縦方向）といい、紙面の横方向を、袋本体２の胴幅方向（短手方向、横方向）というものとする。
【００１２】
本願考案の実施例の紙袋１は、図１で示すように、両端開口３ａ、３ｂの紙筒体３の一方の頭側開口３ａが開放されるとともに他方の底側開口３ｂが封緘された袋本体２を具えてなるものである。袋本体２の頭側開口３ａは、この頭側開口３ａを介して充填物６２が収納された際に封緘される。充填物６２は、たとえば小分け袋である。そのために、頭側開口３ａに臨んで袋本体２に設けられ、紙筒体３から突出する頭側フラップ部１０であって、頭側開口３ａを覆うとともに袋本体２の表面２ａに接着して頭側開口３ａを封緘する頭側フラップ部１０を有している。
【００１３】
頭側フラップ部１０および袋本体２の表面２ａそれぞれの接着箇所１２には感圧形接着剤が塗布されている。頭側フラップ部１０が折り曲げられ、袋本体２の表面２ａに当接され押し当てられることによって、感圧形接着剤を介して頭側フラップ部１０が袋本体２の表面２ａに接着され、紙袋１が封緘される。
【００１４】
図２は、袋本体２の裏面２ｂを示している。
【００１５】
底側開口３ｂは、充填物６２の充填により底側から充填物６２の漏れがなきように封緘されているとともに、充填物６２の充填後に、底側開口３ｂから充填物６２の取り出しが可能となるように、底側開口３ｂの側には、開封機能が備えられている。そのために、底側開口３ｂに臨んで袋本体２に設けられ、紙筒体３から突出する底側フラップ部１１であって、底側開口３ｂを覆う底側フラップ部１１を有しており（フラップ部１１の端部を１１ａにて示す）、底側開口３ｂを覆う底側フラップ部１１は、開封テープ２１（一点鎖線にて示す）が、その長手方向（袋本体２の胴幅方向）に沿って設けられた補強紙２０によって覆われ貼着されることによって封緘されており、それに応じて底側開口３ｂが封緘されている。
【００１６】
補強紙２０は、折り曲げられた底側フラップ部１１の端部１１ａに近接した袋本体２の裏面２ｂに、開封テープ２１が位置するように、袋本体２および底側フラップ部１１に貼着される。なお、開封テープ２１の代わりに開封紐を使用する実施も可能である。
【００１７】
以下、さらに紙袋１の構造につき詳細に説明する。
【００１８】
図３、図４は、底側開口３ｂ側の構造を説明する図であり、底側開口３ｂ側を封緘するまでの工程を示している。図３、図４では、図面上方を底側開口３ｂ側としている。
【００１９】
図３（ａ）に示すように、紙筒体３は紙袋１の胴幅方向両側にひだを形成するよう折り曲げられている。筒状体３の、封緘前の底側開口３ｂは階段切り構造にされており、紙筒体３から突出する底側フラップ部１１を有している。
【００２０】
まず、底側フラップ部１１が、図３（ｂ）で示すように袋本体２の裏面２ｂへ第一の折り曲げ線Ｘ１に沿って折り曲げられる。つぎに図３（ｃ）で示すように袋本体２の裏面２ｂへ第二の折り曲げ線Ｘ２に沿って折り曲げられる。この状態で、底側開口３ｂは、底側フラップ部１１により覆われたことになる。
【００２１】
図４は、底側開口３ｂを覆った底側フラップ部１１が、補強紙２０によって覆われ、封緘される工程を示す。
【００２２】
つぎに、図４（ａ）に示すように、底側フラップ部１１の長手方向の長さ（袋本体２の胴幅）と同じか若干長い長手方向長さを有する補強紙２０が用意される。この補強紙２０の裏面２０ｂ、つまり袋本体２および底側フラップ部１１に貼着する側に、補強紙２０の長手方向に沿って開封テープ２１が貼り付けられている。補強紙２０の長手方向の左右両端には、開封テープ２１を引く際のガイドとして機能する切り込み２２が形成されている。
【００２３】
補強紙２０の短手方向の幅は、補強紙２０が底側フラップ部１１を覆うように貼着された際に、底側フラップ部１１の端部１１ａ（第一の折り曲げ線Ｘ１）に近接した袋本体２の裏面２ｂに（図４（ａ）に開封テープ２１の仮想線を一点鎖線にて示す）、開封テープ２１を位置させることができ、かつ補強紙２０が袋本体２の表面２ａに跨る大きさ（図１参照）に設定されている。また、この補強紙２０の裏面２０ｂ、つまり袋本体２および底側フラップ部１１に貼着する側には、接着剤が開封テープ２１を除く部分（斜線部２３にて示す）に塗布されている。なお、接着剤を、対応する袋本体２の表面２ａ、底側フラップ部１１および袋本体２の裏面２ｂに塗布しておいてもよい。
【００２４】
図４（ｂ）に示すように、底側フラップ部１１が、補強紙２０によって覆われ、上記接着剤を介して、補強紙２０が、袋本体２の表面２ａ、底側フラップ部１１および袋本体２の裏面２ｂに貼着されると、底側フラップ部１１ならびに底側開口３ｂが封緘される。このとき底側フラップ部１１の端部１１ａ（第一の折り曲げ線Ｘ１）に近接した袋本体２の裏面２ｂ上の位置に、補強紙２０の開封テープ２１（一点鎖線にて示す）が位置する。
【００２５】
一方、図５は、頭側開口３ａ側の構造を説明する図であり、頭側開口３ａ側を封緘するまでの工程を示している。図５では、図面上方を頭側開口３ａ側としている。
【００２６】
図５（ａ）に示すように、筒状体３の、封緘前の頭側開口３ａは階段切り構造にされており、紙筒体３から突出する頭側フラップ部１０を有している。
【００２７】
頭側フラップ部１０および袋本体２の表面２ａそれぞれの接着箇所１２（斜線部にて示す）には感圧形接着剤が塗布されている。
【００２８】
この紙袋１の袋本体２には、頭側開口３ａを介して充填物６２が収納される。
充填物６２の収納は、充填物６２を小分けすることなく粒状物等のまま直接、袋本体２に収納してもよいし、充填物６２を複数の小分け袋に収納し、これら複数の小分け袋６２を袋本体２に収納するようにしてもよい。
【００２９】
こうして充填物６２が袋本体２に収納されると、図５（ｂ）に示すように、袋本体２の頭側開口３ａは封緘される。
【００３０】
すなわち、この頭側開口３ａの封緘は、頭側フラップ部１０が、折り曲げ線Ｘ３に沿って袋本体２の表面２ａ側へ折り曲げられ袋本体２の表面２ａに感圧形接着剤を介して接着されることにより行われる。頭側フラップ部１０が折り曲げられ、袋本体２の表面２ａに当接され押し当てられることによって、感圧形接着剤を介して頭側フラップ部１０が袋本体２の表面２ａに接着される。
【００３１】
図６は、開封テープ２１を引いて、補強紙２０を断裂して、封緘された底側開口３ｂを開放状態にして紙袋１を開封する様子を斜視図にて示している。
【００３２】
充填物６２が収納された紙袋１を開封するには、袋本体２の底側開口３ｂ側の補強紙２０に設けられた開封テープ２１を、切り込み２２をガイドとして、袋本体２の胴幅方向の一方（左ないしは右）側から、袋本体２の胴幅方向の他方（右ないしは左）側まで、たとえば矢印Ａで示すように、引く（図６（ａ））。すると、補強紙２０が断裂されて、封緘された底側開口３ｂが開放状態となる。図６では、開封された箇所を斜線にて示している。
【００３３】
このため断裂された補強紙２１を、底側フラップ１１とともに開放側Ｂに展開することにより、底側開口３ｂから、充填物６２を取り出すことができる（図６（ｂ））。ここで、開封テープ２１を引いた後に、底側フラップ部１１側、袋本体２側のいずれにも、補強紙２０の破れた後がめくれ上がらず、綺麗な状態で、袋本体２内部の充填物６２を取り出すことができる。
【００３４】
開封テープ２１を引いて袋本体２の底側開口３ｂ側のみを開封しているために、底側開口３ｂから充填物６２を取り出した後（一度開封した後）で、開封した底側を頭側になるよう袋本体２を上下逆にするなどして、その紙袋１を再度、内容物を再度充填して保管する袋として再利用することができる。また開封テープ２１を引いた後に、底側フラップ部１１側、袋本体２側のいずれにも、補強紙２０の破れた後がめくれ上がらず、綺麗な状態となっているために、袋として再利用する際に綺麗な状態で再利用することができる。
【００３５】
以上のとおり、本実施例の紙袋１によれば、
１´）袋本体２の底側開口３ｂを覆う底側フラップ部を１１封緘する補強紙２０の長手方向に沿って設けられた開封テープ２１（または開封紐）を引くだけで、袋本体２の内部の内袋等の充填物６２を取り出すことができ、従来のように、袋本体２の表面２ａを展開する作業を伴うことはなくなり、袋本体２の内部の内袋等の充填物６２の取り出しを簡単に行うことができる。
２´）開封テープ２１（または開封紐）を引いて袋本体２の底側開口３ｂのみを開封しているため、袋本体２の内部の各充填物６２の小分け（開封口を丸めて途中で止めて再保管）ができる。
３´）開封テープ２１（または開封紐）を引いて袋本体２の底側開口３ｂのみを開封しているために、一度開封した後に、開封した底側を頭側になるよう袋本体２を上下逆にするなどして、その紙袋１を、空き袋として再利用することができる。
４´）感圧形接着剤を塗布しているために、封緘機を必要とせず手封緘で紙袋１を容易に封緘
することができる。  
５´）開封テープ２１（または開封紐）を引いた後に、底側フラップ部１１側、袋本体２側のいずれにも、補強紙２０の破れた後がめくれ上がらず、綺麗な状態で、袋本体２内部の充填物６２を取り出すことができるとともに、袋として再利用する際に綺麗な状態で再利用することができる。
【産業上の利用可能性】
【００３６】
本願考案の紙袋は、従来の紙袋に比して、開封テープ２１または開封紐を引いて袋本体２の底側開口３ｂのみを開封しているために、一度開封した後に、開封した底側を頭側になるよう袋本体を上下逆にするなどして、その紙袋１を再度、内容物を再度充填して保管する袋として再利用することができるために、省資源に資するとともに、廃棄物の低減を促進するという顕著な産業上有用な効果を奏功する。
【符号の説明】
【００３７】
１…紙袋
２…袋本体
３ａ…頭側開口
３ｂ…底側開口
１０…頭側フラップ部
１１…底側フラップ部
２０…補強紙
２１…開封テープ
６２…充填物
【図１】
0003195624.tif 000003
【図２】
0003195624.tif 000004
【図３】
0003195624.tif 000005
【図４】
0003195624.tif 000006
【図５】
0003195624.tif 000007
【図６】
0003195624.tif 000008
【図７】
0003195624.tif 000009
【図８】
0003195624.tif 000010